(57)【特許請求の範囲】
【請求項１】
文字イメージ編集装置であって、
文字を、対応する記号イメージに変換する生成部と、
前記変換された記号イメージをディスプレイする出力部と
を含み、
前記記号イメージは、前記文字のイメージ上の余白位置に対応する位置に生成される文字イメージ編集装置。
【請求項２】
文字イメージ編集装置であって、
記号イメージを、対応する文字に変換する生成部と、
前記変換された文字をディスプレイする出力部と
を含み、
前記記号イメージは、前記文字のイメージ上の余白位置に対応する位置に形成される文字イメージ編集装置。
【請求項３】
前記文字は、ハングル文字、英文字、数字のうちの少なくとも１つを含むことを特徴とする請求項１又は２に記載の文字イメージ編集装置。
【請求項４】
前記記号イメージの大きさ又は位置を調整する編集部を更に含むことを特徴とする請求項１又は２に記載の文字イメージ編集装置。
【請求項５】
前記記号イメージは、該当文字又は数字イメージ上の余白の形状によってその形状が決定されることを特徴とする請求項１又は２に記載の文字イメージ編集装置。
【請求項６】
前記記号イメージは、三角形、四角形、円、各図形の形状を有することを特徴とする請求項５に記載の文字イメージ編集装置。
【請求項７】
前記記号イメージは、少なくとも２つの記号イメージがオーバーラップされ、オーバーラップされたそれぞれの記号イメージを区分するために、色相、明暗、明度、パターン、及び質感のうちの少なくとも１つを異にして表現し、各記号イメージの読み取り順序を示す識別子を備えることを特徴とする請求項１又は２に記載の文字イメージ編集装置。
【請求項８】
文字イメージの編集方法であって、
ａ）文字を、対応する記号イメージに変換する段階と、
ｂ）前記変換された記号イメージをディスプレイする段階と、
を含み、
前記記号イメージは、前記文字のイメージ上の余白位置に対応する位置に生成される文字イメージの編集方法。
【請求項９】
文字イメージの編集方法であって、
ａ）記号イメージを、対応する文字に変換する段階と、
ｂ）前記変換された文字をディスプレイする段階と、
を含み、
前記記号イメージは、前記文字のイメージ上の余白位置に対応する位置に形成される文字イメージの編集方法。
【請求項１０】
前記文字は、ハングル文字、英文字、数字のうちの少なくとも１つを含むことを特徴とする請求項８又は９に記載の文字イメージの編集方法。
【請求項１１】
前記記号イメージの大きさ又は位置を調整する段階を更に含むことを特徴とする請求項８又は９に記載の文字イメージの編集方法。
【請求項１２】
前記記号イメージは、該当文字又は数字イメージ上の余白の形状によってその形状が決定されることを特徴とする請求項８又は９に記載の文字イメージの編集方法。
【請求項１３】
前記記号イメージは、三角形、四角形、円、各図形の形状を有することを特徴とする請求項１２に記載の文字イメージの編集方法。
【請求項１４】
前記記号イメージは、少なくとも２つの記号イメージがオーバーラップされ、オーバーラップされたそれぞれの記号イメージを区分するために、色相、明暗、明度、パターン、及び質感のうちの少なくとも１つを異にして表現し、各記号イメージの読み取り順序を示す識別子を備えることを特徴とする請求項８又は９に記載の文字イメージの編集方法。
【請求項１５】
請求項８又は９の何れか一項に記載の各段階を実行するためのコンピュータ実行可能命令語が格納された記録媒体。
【発明の詳細な説明】
【技術分野】
【０００１】
本発明は、文字イメージ編集装置における文字イメージの編集方法、及びこれを実行するプログラムが記録された記録媒体に関するもので、更に詳しくは、ハングル、英文字、数字などの文字を象徴化した各種製品、美術品、建築物、工芸品、都市企画などにおけるデザインの開発を容易にするだけでなく、産業、芸術、デザイン、建築、工芸、都市企画などの各種分野におけるハングル、英文字、数字などの文字が象徴化された産業生産物の開発が促進されるようにする文字イメージ編集装置における文字イメージの編集方法、及びこれを実行するプログラムが記録された記録媒体に関する。
【背景技術】
【０００２】
ハングルは、５６５年前に世宗大王により創製され、世界の他の文字が有していない科学的原理と造形的特徴を有している。一方、ハングルは大韓民国の文化遺産であり、科学的原理を活用した最も素晴らしい発明の一つとして考えられるが、産業、芸術、デザイン、建築、工芸分野におけるハングルに対する正しい価値認識と活用が非常に不足しているのが現状である。
【０００３】
このように、ハングルが産業的に活用されていない理由に関する調査結果、消費者はデザインが美麗ではないため好まず、企業は消費者がハングルデザインを好まないか、観光商品として認識する場合が多いことから収益性が低いと判断し、商品に適用しないことが明らかになった。
【０００４】
現代において、映像メディアの発達により、文字以外にイメージに対する情報伝達の重要度が高まっている。例えば、飢餓難民救済と関連し、文字や数字のみで表示された冗漫な呼びかけ文よりも文字や数字にイメージが加わる場合、更に訴求力が強くなる特性を有するようになり、このような時代的特性を反映して言語を単なる情報伝達媒体から一段とステップアップして言語の意味を象徴的に含蓄し、産業的に活用度を高められる方策が切実に求められる。特に、産業、芸術、デザイン、建築、工芸、都市企画などの各種分野において産業生産物（製品、美術品、建築物、工芸品、建物など）に言語の文字や数字を象徴的に表現することで、言語に対する認識を高め、産業的に応用可能にする。
【発明の概要】
【発明が解決しようとする課題】
【０００５】
そこで、本発明の目的は、文字を象徴化した各種製品、美術品、建築物、工芸品、都市企画などにおけるデザインの開発を容易にするだけでなく、産業、芸術、デザイン、建築、工芸、都市企画などの各種分野において、文字が象徴化された産業生産物の開発が促進されるようにする、文字イメージ編集装置における文字イメージの編集方法、及びこれを実行するプログラムが記録された記録媒体を提供することにある。
【課題を解決するための手段】
【０００６】
前記目的を達成するための本発明による文字イメージの編集方法は、文字イメージ編集装置における文字イメージの編集方法であって、（ａ）前記装置が、文字情報の入力を受ける段階と、（ｂ）前記装置が、前記入力された文字情報に該当する文字イメージ上の余白位置に対応する位置にドットイメージを生成する段階とを含む。
【０００７】
好ましくは、前記（ｂ）段階の後に、前記生成されたドットイメージの大きさ又は位置を調整する段階を更に含む。
【０００８】
また、前記ドットイメージの形状は、前記文字イメージ上の余白の形状によって決定されることを特徴とする。
【０００９】
更に、前記ドットイメージの形状は、三角形、四角形、及び円形のうちの何れか１つであることを特徴とする。
【００１０】
また、前記（ｂ）段階の後に、（ｃ）前記装置が、外部から追加で入力を受けた文字情報に該当する文字イメージ上の余白位置に対応する位置にドットイメージを追加で生成する段階を更に含む。
【００１１】
更に、前記（ｃ）段階の後に、（ｄ）前記装置が、前記追加生成されたドットイメージを前記（ｂ）段階で生成されたドットイメージ上にオーバーラップする段階を更に含む。
【００１２】
また、前記（ｄ）段階において、前記（ｂ）段階で生成されたドットイメージと、前記（ｃ）段階で追加生成されたドットイメージは、色相、明暗、明度、パターン、及び質感のうちの少なくとも１つによって区分されることを特徴とする。
【００１３】
更に、前記（ｂ）段階は、前記入力された文字であるハングル情報に該当するハングルの初声、中声、終声別に各イメージ上の余白位置に対応する位置にドットイメージを生成することを特徴とする。
【００１４】
一方、本発明による文字イメージの編集方法は、文字イメージ編集装置における文字イメージの編集方法であって、（ａ）前記装置が、文字情報の入力を受ける段階と、（ｂ）前記装置が、前記入力された文字情報に該当するドットイメージを生成する段階とを含み、前記ドットイメージは、前記入力された文字情報に該当する文字イメージ上の余白位置に対応する位置にドットが形成されたイメージであることを特徴とする。
【００１５】
また一方、本発明による記録媒体は、前記各段階を実行するプログラムが記録されたことを特徴とする。
【００１６】
また一方、本発明による文字イメージ編集装置は、文字情報の入力を受ける入力部と、前記入力部に入力された文字情報に該当する文字イメージ上の余白位置に対応する位置にドットイメージを生成する生成部とを含む。
【００１７】
好ましくは、前記生成部により生成された前記ドットイメージの大きさ又は位置を調整する編集部を更に含む。
【００１８】
また、前記ドットイメージの形状は、前記文字イメージ上の余白の形状によって決定されることを特徴とする。
【００１９】
更に、前記ドットイメージの形状は、三角形、四角形、及び円形のうちの何れか１つであることを特徴とする。
【００２０】
また、前記生成部は、前記入力部が追加で入力を受けた文字情報に該当する文字イメージ上の余白位置に対応する位置にドットイメージを追加で生成することを特徴とする。
【００２１】
更に、前記編集部は、前記追加生成されたドットイメージを既に生成されているドットイメージ上にオーバーラップ処理することを特徴とする。
【００２２】
また、前記既に生成されているドットイメージと、前記追加生成されたドットイメージは、色相、明暗、明度、パターン、及び質感のうちの少なくとも１つによって区分されることを特徴とする。
【００２３】
更に、前記生成部は、前記入力された文字であるハングル情報に該当するハングルの初声、中声、終声別に各イメージ上の余白位置に対応する位置にドットイメージを生成することを特徴とする。
【００２４】
一方、本発明による文字イメージ編集装置は、文字情報の入力を受ける入力部と、前記入力部に入力された前記文字情報に該当するドットイメージを生成する生成部とを含み、前記ドットイメージは、前記入力された文字情報に該当する文字イメージ上の余白位置に対応する位置にドットが形成されたイメージであることを特徴とする。
【発明の効果】
【００２５】
本発明によれば、ハングルなどの文字を象徴化した各種製品、美術品、建築物、工芸品、都市企画などにおけるデザインの開発が容易になるという効果を奏する。
【００２６】
更に、本発明によれば、産業、芸術、デザイン、建築、工芸、都市企画などの各種分野におけるハングルなどの文字が象徴化された産業生産物の開発を促進できるようになる。
【図面の簡単な説明】
【００２７】
【図１】本発明の一実施形態による文字イメージの編集方法におけるハングルに対応するドットイメージを生成する原理を説明する図である。
【図２】本発明の一実施形態による文字イメージの編集方法におけるハングルに対応するドットイメージを生成する原理を説明する図である。
【図３】本発明の一実施形態による文字イメージの編集方法におけるハングルに対応するドットイメージを生成する原理を説明する図である。
【図４】本発明の変形実施形態によってドットイメージを変形生成する原理を説明する図である。
【図５】本発明の一実施形態による文字イメージの編集方法におけるハングルの初声、中声、終声に対するドットイメージがそれぞれ生成される領域を説明する図である。
【図６】本発明の活用例によって編集されたハングルイメージの例を示す図である。
【図７】アラビア数字に対応するドットイメージを生成する原理を説明する図である。
【図８】本発明の活用例によって編集されたハングルイメージの他の例を示す図である。
【図９】本発明の活用例によって編集されたハングルイメージの更に他の例を示す図である。
【図１０】本発明の一実施形態による文字イメージ編集装置の構造を説明する機能ブロック図である。
【図１１】本発明の一実施形態による文字イメージの編集方法の原理を説明するフローチャートである。
【図１２】本発明の他の実施形態による文字イメージの編集方法における文字の反転イメージを示す図である。
【図１３】本発明の他の実施形態による文字イメージの編集方法における文字の反転イメージを示す図である。
【図１４】本発明の実施形態によって記号イメージを抽出する過程を示す図である。
【図１５】本発明の実施形態によって空間区画と象徴物により表現される数字を活用した時計デザイン例示図である。
【図１６】本発明の実施形態によって英語の大文字に対応する記号イメージを生成する原理を示す図である。
【図１７】本発明の実施形態によって英語の小文字に対応する記号イメージを生成する原理を示す図である。
【図１８】本発明の実施形態によって空間区画において点の使用を例示する図である。
【図１９】本発明の実施形態によって空間区画において線の使用を例示する図である。
【図２０】本発明の実施形態によって空間区画において面の使用を示す図である。
【図２１】本発明の実施形態によって空間区画において面の使用を示す図である。
【図２２】本発明の実施形態によって空間区画において点、線、面の混合使用を例示する図である。
【図２３】本発明の実施形態によって空間区画の自由な変形を示す図である。
【図２４】本発明の実施形態によって空間区画の自由な変形を示す図である。
【図２５】本発明の実施形態によって空間区画の自由な変形を示す図である。
【図２６】本発明の実施形態によって空間区画の自由な変形を示す図である。
【図２７】本発明の実施形態によって空間区画の自由な変形を示す図である。
【図２８】本発明の実施形態によって象徴物の誇張と位置変化を示す図である。
【図２９】本発明の実施形態によって空間区画において象徴物の位置を定義した位置座標を示す図である。
【図３０】本発明の実施形態によって同一の象徴物を初声、中声、終声に用いたことを示す図である。
【図３１】本発明の実施形態によって記号、図形状の物及び文字を象徴物としてそれぞれ用いたことを示す図である。
【図３２】本発明の実施形態によって建築物を利用して空間区画とステンドグラスを象徴物として用いたことを示す図である。
【図３３】本発明の実施形態によって道路を利用した空間区画および建築物を利用した空間区画を示す図である。
【図３４】本発明の実施形態によって道路や川、木、茂み、公園などの地形地物を用いた空間区画を示す図である。
【図３５】本発明の実施形態によって文字がオーバーラップされた例を示す図である。
【発明を実施するための形態】
【００２８】
以下、図面を参照しながら、本発明をより詳細に説明する。図面において同一の構成要素は、できる限り何処においても同一の符号で示していることに留意すべきである。なお、不要に本発明の要旨を曖昧にするおそれのある公知の機能及び構成に関する詳細な説明は省略する。
【００２９】
図１〜図３は、本発明の一実施形態による文字イメージの編集方法におけるハングルに対応するドットイメージを生成する原理を説明する図である。
【００３０】
まず、図１は、ハングルの初声に対応するドットイメージを生成する原理を説明している。具体的に、図１の（ａ）は、
0006034404.tif 000002
での余白位置である左下段に四角形のドットイメージを生成したものであり、図１の（ｂ）は、
0006034404.tif 000003
での余白位置である右上段に余白の形状と同じ四角形のドットイメージを生成したものであり、図１の（ｃ）は、
0006034404.tif 000004
での余白位置である右中段に余白の形状と同じ四角形のドットイメージを生成したものである。
【００３１】
一方、図１の（ｄ）は、
0006034404.tif 000005
での余白位置に余白の形状と同じ四角形のドットイメージを生成したものであり、図１の（ｅ）は、
0006034404.tif 000006
での余白位置である中央に余白の形状と同じ四角形のドットイメージを生成したものである。
【００３２】
また、図１の（ｆ）は、
0006034404.tif 000007
での余白位置である中央と上側中段にそれぞれ余白の形状と同じ四角形のドットイメージを生成したものであり、図１の（ｇ）は、
0006034404.tif 000008
での余白位置である下側中段に余白の形状と同じ三角形のドットイメージを生成したものであり、また、図１の（ｈ）は、
0006034404.tif 000009
での余白位置である中央に余白の形状と同じ円形のドットイメージを生成したものである。
【００３３】
なお、本発明では、各ハングルのイメージ上における余白の形状が四角形、三角形、又は円形である場合にのみ該当余白の位置に対応する位置に余白の形状と同じ形状のドットイメージを生成しており、各ハングルのイメージ上における余白の形状が四角形、三角形、又は円形のうちの何れか１つに該当しない場合には、該当余白にはドットイメージを生成しないことが好ましい。
【００３４】
0006034404.tif 000010
【００３５】
一方、図２は、ハングルの初声と中声が結合されている文字に対応するドットイメージを生成する原理を説明している。図２に示すように、初声と中声が結合されている文字に対応するドットイメージを生成するにおいては、まず図１における四角形のイメージフレームを図５の（ａ）、（ｂ）のように、初声領域と中声領域とに区分し、初声のイメージフレームと中声のイメージフレームにそれぞれ独立して初声と中声に対応するドットイメージを生成することになる。
【００３６】
初声のイメージフレームに、初声に対応するドットイメージを生成する原理は、図１で説明した原理と同一であり、本発明では、中声のイメージフレームに、中声に対応するドットイメージの生成においても、中声のイメージ上での余白の位置に対応する位置に余白の形状と同じ形状である四角形のドットイメージを生成した。
【００３７】
0006034404.tif 000011
【００３８】
0006034404.tif 000012
【００３９】
それにより、図２の（ｍ）は、
0006034404.tif 000013
に対応するドットイメージであり、図２の（ｎ）は、
0006034404.tif 000014
に対応するドットイメージとなる。
【００４０】
一方、母音のうち二重母音の場合には、中声のイメージフレームを四角形のイメージフレーム全体の下段部と右側段部に分けた状態で各母音のドットイメージを個別に生成することが好ましい。
【００４１】
0006034404.tif 000015
【００４２】
一方、初声と中声と終声が結合されている文字に対応するドットイメージを生成するにおいては、まず図１における四角形のイメージフレームを図５に示すように、初声領域、中声領域、及び終声領域に区分し、初声のイメージフレーム、中声のイメージフレーム、及び終声のイメージフレームに、それぞれ独立して初声と中声と終声に対応するドットイメージを生成することになる。
【００４３】
図３は、ハングルの終声に対応するドットイメージを終声のイメージフレームに生成する原理を説明している。一方、図１でのハングルの初声は、何れもハングルの終声として使用可能なので、図３ではハングルの終声としてのみ用いられる子音に対応するドットイメージの生成原理のみを説明する。
【００４４】
ハングルの二重子音のうち初声として使用されず、終声としてのみ使用される、いわゆる二重パッチムの場合にも、ハングルの他の二重子音の場合と同様、終声のイメージフレームを２つの領域に分画した状態で、分離された２つのイメージフレームに、それぞれの子音に対応するドットイメージを生成することになる。
【００４５】
0006034404.tif 000016
【００４６】
図１０は、本発明の一実施形態による文字イメージ編集装置の構造を説明する機能ブロック図である。図１０を参照すると、本発明の一実施形態による文字イメージ編集装置１００は、入力部１１０、生成部１３０、格納部１５０、及び編集部１７０を含む。
【００４７】
まず、文字イメージ編集装置１００の入力部１１０は、ユーザがイメージ編集を所望するハングル情報を入力するのに用いられ、またユーザが生成されたドットイメージに対する編集命令を入力するのに用いられる。
【００４８】
文字イメージ編集装置１００の生成部１３０は、入力部１１０を介して入力されたハングル情報に該当するハングルイメージ上の余白位置に対応する位置に図１〜図３、及び図５と同じ方式でドットイメージを生成してディスプレイ部（図示せず）に表示し、生成されたドットイメージは、格納部１５０に格納される。
【００４９】
一方、本発明を実施するにおいては、文字イメージ編集装置１００の格納部１５０には、ハングルの全ての文字に対して、図１〜図３及び図５を用いて説明したドットイメージの生成原理によってそれぞれ生成されたドットイメージが各文字にマップされて格納されている状態で、生成部１３０は、ユーザが入力した文字にマップされて格納部１５０に格納されているドットイメージをディスプレイ部に表示することもできる。
【００５０】
編集部１７０は、ディスプレイ部に表示されたドットイメージを、ユーザがその大きさ又は位置などを調整する編集命令を入力部１１０によって入力する場合に、編集命令に従ってドットイメージを編集する機能を行う。
【００５１】
図１１は、本発明の一実施形態による文字イメージ編集方法の原理を説明するフローチャートである。図１１を参照して、本発明の一実施形態による文字イメージ編集方法の原理を説明すると、まずユーザは文字イメージ編集装置１００の入力部１１０によってドットイメージの生成及び編集を所望する文字を入力する（Ｓ２１０）。
【００５２】
これにより、文字イメージ編集装置１００の生成部１３０は、入力部１１０に入力されたハングルのイメージ上の余白位置に対応する位置にドットイメージを図１〜図３、及び図５において前述した方法により生成し（Ｓ２２０）、生成されたドットイメージは、格納部１５０に格納される。
【００５３】
一方、本発明を実施するにおいて文字イメージ編集装置１００の生成部１３０は、図１〜図３に示す原理によってドットイメージを生成することも可能で、図４におけるドットの変形された形態によってイメージを生成することも可能である。
【００５４】
即ち、図４の（ａ）、（ｂ）に示すように、母音を表示するドット状である四角形のドットを短い縦線分に替えて生成することも可能で、図４の（ｃ）に示すように、子音のうち
0006034404.tif 000017
を表示するドット状である左右側の四角形のドットをそれぞれ横線分に替えて生成するか、横線分を対角線で連結して「Ｚ」の形態で表現するか、縮小された「Ｚ」である「ｚ」の形態で表現することもできる。
【００５５】
また、図４の（ｄ）、（ｅ）、（ｆ）に示すように、
0006034404.tif 000018
を示すドットのうち、左右側段の中段における四角形のドットイメージをそれぞれ短い横線分に替えて生成してもよい。
【００５６】
一方、本発明を実施するにおいて、ユーザは、文字イメージ編集装置１００にハングルだけでなく、アラビア数字を入力することもでき、この場合、本発明は数字イメージ編集機能まで実現できるようになる。
【００５７】
具体的に、図７は、各アラビア数字に対応するドットイメージを生成する原理を説明している。図７の（ａ）に示すように、入力部１１０に「０」が入力された場合に、生成部１３０は「０」での余白位置である中央に円形のドットイメージを生成することになり、図７の（ｂ）に示すように、入力部１１０に「１」が入力された場合に「１」は余白のない数字であるため、生成部１３０はドットのないイメージを生成することになる。
【００５８】
また、図７の（ｃ）〜（ｊ）に示すように、入力部１１０に「２」〜「９」が入力された場合に、生成部１３０はそれぞれ「２」〜「９」での余白位置に対応する位置に四角形、円形又は三角形のドットイメージ（即ち、余白の形状と同じ形状のドットイメージ）を生成することになる。
【００５９】
前記のように数字に対応するドットイメージは、図１５に示すように、時計に適用して空間区画と象徴物によって数字を表現できる。
【００６０】
一方、ユーザは、文字イメージ編集装置１００を用いてハングルに対応するドットイメージを生成した後に生成されたドットイメージを自由に編集することもできる。具体的に、ユーザは必要に応じて入力部１１０によってドットイメージでの四角形のイメージフレームの大きさ又は形状を調節したり、四角形のイメージフレームを構成する初声のイメージフレーム、中声のイメージフレーム、終声のイメージフレームの各大きさ又は相対的割合を調節したり、ドットイメージを構成する各ドットの大きさを調節したり、各イメージフレームの枠の太さ及び線分の表示方式（点線、実線等）を変更する命令を入力し、これにより、文字イメージ編集装置１００の編集部１７０は、ディスプレイ部に表示されたドットイメージの大きさ又は位置を調節し、これを格納部１５０に格納する（Ｓ２３０）。
【００６１】
具体的に、ユーザはそれぞれ
0006034404.tif 000019
を表すドットイメージを図６に示すように、四角形のイメージフレームの枠の太さを調節し、線分の表示方式を部分的に点線に変更するように編集できる。
【００６２】
それだけでなく、ユーザは
0006034404.tif 000020
を意味するドットイメージを図８の左側図面に示すように、中声のイメージフレームが縦方向に広く拡張されるように編集することもでき、このように編集された「竜」に対するドットイメージは、図８の右側図面に示すように、広くなった中央の余白に竜に対する絵を描ける空間を提供するようになる。
【００６３】
一方、ユーザは、必要に応じて追加のハングル情報を入力部１１０によって入力でき（Ｓ２４０）、この場合、文字イメージ編集装置１００の生成部１３０は、前述のＳ２２０段階での方法によって、追加で入力されたハングルに対するドットイメージを生成し（Ｓ２５０）、生成されたドットイメージは、格納部１５０に格納される。
【００６４】
一方、ユーザは、追加で生成されたドットイメージ（第２ドットイメージ）を最初に生成されたドットイメージ（第１ドットイメージ）に重なるように、編集を命令することもでき、この場合、文字イメージ編集装置１００の編集部１７０は、第２ドットイメージが第１ドットイメージに、図９に示すように、オーバーラップするように編集する（Ｓ２６０）。
【００６５】
一方、オーバーラップされた第２ドットイメージは、第１ドットイメージとは区分できることが好ましいので、編集部１７０は、第２ドットイメージの色相、明暗、明度、パターン、及び質感のうちの少なくとも１つを第１ドットイメージとは差別化できるように編集することが好ましく、本発明を実施するにおいて、ユーザは、入力部１１０によって直接第２ドットイメージの色相、明暗、明度、パターン、及び質感のうちの少なくとも１つが第１ドットイメージとは差別化できるようにする編集命令を入力することもできる。
【００６６】
一方、オーバーラップされた２つのドットイメージは、読み取り順序が編集されたイメージ上で表示されることが好ましく、そのために、文字イメージ編集装置１００の編集部１７０は、先に入力された第１ドットイメージの色相、明暗、明度、パターン、及び質感のうちの少なくとも１つと同一の識別子を図９の最初のイメージと同様、前に表示し、後で入力された第２ドットイメージの色相、明暗、明度、パターン、及び質感のうちの少なくとも１つと同一の識別子は、図９の最初のイメージと同様、後で表示することで、図９の最初のイメージである編集済のドットイメージにより、第三者が図９の２番目のイメージでの
0006034404.tif 000021
を先に読み取った後に、図９の３番目のイメージでの
0006034404.tif 000022
を後で読み取ることで、図９の最初のイメージである編集済のドットイメージを
0006034404.tif 000023
として読み取れるようにすることが好ましい。
【００６７】
一方、本発明を実施するにおいては、文字イメージ編集装置１００の生成部１３０がイメージを生成するにおいては、図１〜図３に示すようなイメージを生成してもよいが、図１２及び図１３に示すような反転イメージを生成してもよい。
【００６８】
なお、本発明を実施するにおいて、文字イメージ編集装置１００の生成部１３０が図１〜図３に示すようなイメージを生成した後、生成されたイメージを編集する作業者の反転命令によって、編集部１７０により、図１２及び図１３に示すような反転イメージを、編集により生成してもよい。
【００６９】
図１２及び図１３に示すような反転イメージによれば、ユーザに該当ハングルの意味をより直接的に伝えられるという利点がある。
【００７０】
一方、本明細書上の以下で用いられる用語である「記号イメージ」とは、ドットイメージを含む意味を持つ用語として、特にハングル文字を象徴的に表現したもので、所定の区画された空間（例えば、四角形のイメージフレーム）において、空間を区分し（空間区画）、区分された空間の一部分に少なくとも１つが配置された象徴物である。また、英文字や数字に対応する記号イメージは、英文字や数字を象徴的に表現したものであって、所定の区画された空間（例えば、四角形のイメージフレーム）において、空間の一部分に少なくとも１つが配置された象徴物である。ここで、象徴物とは、言語（ハングル、英語など）の文字や数字を一定の枠に入れ、空いた空間（余白）から把握された形状を点、線、面などで単純化したものであって、このとき、点は三角形、四角形、円などの多様な形状を有することができる。
【００７１】
なお、本願発明の文字イメージ編集装置１００の動作原理についてより根本的に説明すると、本発明による文字イメージ編集装置１００は、言語（ハングル、英語など）の文字（数字を含む）を記号イメージとして、又は記号イメージを解析して該当言語の文字（数字を含む）として出力する。
【００７２】
前述したように、ハングルの文字に対応する記号イメージは、言語の文字や数字を象徴的に表現したものであって、少なくとも１つのハングル文字（少なくとも１つの音節）を表現する所定の区画された空間（例えば、四角形のイメージフレーム）において空間を区分し（空間区画）、区分された空間の一部分に少なくとも１つが配置された象徴物である。この象徴物は、言語（ハングル、英語など）の文字や数字を一定の枠に入れ、空いた空間から把握された形状を点、線、面などで単純化したものであり、このとき、点は三角形、四角形、円などの多様な形状を有することができる。
【００７３】
言語の文字や数字を象徴化した記号イメージは、言語の文字や数字を印刷などに用いられる平面的な対象ではない体積と質量を有する物体として規定し、これを一定の鋳型に入れ、空いている空間に溶湯を入れて得られる鋳物を加工して本来の枠と共に文字や数字を簡単、かつ、象徴的に表現する文字／数字加工技術を基にしており、図１４に文字や数字の加工過程を平面的に示した。
【００７４】
即ち、言語の文字や数字の表現に空間概念を付与して、これを単純化された空間として表現し、言語の文字や数字を加工し、これを単純化して表現できる象徴物である三角形、四角形、円などを抽出した後、この象徴物を空間に配置して言語の数字や文字を象徴的に表現する。
【００７５】
なお、生成部１３０により生成されるハングルの記号イメージは、少なくとも１つのハングル文字（少なくとも１つの音節）を表現する所定の区画された第１空間と、第１空間を点、線、面又は他の表示により区分し（第１空間を空間区画して第２空間に分割）、区分された第２空間において初声、中声、終声のうちの何れか１つの機能を行ってハングルを象徴的に表現できる空間区画と、空間区画で区分された第２空間に配置される三角形、四角形、円、直線のうちの少なくとも１つの象徴物で表現される。
【００７６】
ここで、空間区画で区分された第２空間のそれぞれは、横方向又は縦方向又はその組み合わせで構成してもよく、各第１空間は、横方向又は縦方向に離隔して配置され得る。そして、象徴物は三角形、四角形、円、各図形の形状を有する物、及び各図形を連想させる文字のうちの少なくとも１つであり得る。
【００７７】
一方、本発明を実施するにおいて、図１０に示す文字イメージ編集装置１００には出力部が追加で備えられてもよく、それにより、生成部１３０によって生成された記号イメージは、出力部によってリアルタイムで出力できる。
【００７８】
なお、本発明を実施するにおいては、入力部１１０によって記号イメージが入力されることもでき、生成部１３０は記号イメージを解析し、該当記号イメージに対応する文字を抽出して、抽出された文字は出力部によってリアルタイムで出力することもできる。
【００７９】
一方、生成部１３０が記号イメージを解析し、該当記号イメージに対応する文字を抽出するにおいては、図１４における各文字から記号イメージを生成する演算を逆に適用することによって、記号イメージから文字を抽出することができる。
【００８０】
文字イメージ編集装置１００は、入力部１１０によって入力された言語（ハングル、英語など）の文字（数字を含む）を記号イメージに変換して、出力部１４０によってリアルタイムで出力する。また、文字イメージ編集装置１００は、入力部１１０によって入力された記号イメージを解析して該当言語の文字（数字を含む）を出力部１４０によってリアルタイムで出力する。
【００８１】
一方、本発明で英語単語入力モードが実行される場合、英語のアルファベット数は大文字及び小文字のそれぞれ２６文字ずつ計５２文字であれば表現可能である。大文字（／小文字）２６個のアルファベットのうち、５つの母音アルファベット、即ち『Ａ（／ａ）』、『Ｅ（／ｅ）』、『Ｉ（／ｉ）』、『Ｏ（／ｏ）』、『Ｕ（／ｕ）』を除いた残り２１個のアルファベットを「子音アルファベット」と称する。即ち、大文字（／小文字）のアルファベットは、２１個の子音アルファベット（即ち、「Ｂ（／ｂ）」、「Ｃ（／ｃ）、「Ｄ（／ｄ）」、「Ｆ（／ｆ）」、「Ｇ（／ｇ）」、「Ｈ（／ｈ）」、「J（／ｊ）」、「Ｋ（／ｋ）」、「Ｌ（／ｌ）」、「Ｍ（／ｍ）」、「Ｎ（／ｎ）」、「Ｐ（／ｐ）」、「Ｑ（／ｑ）」、「Ｒ（／ｒ）」、「Ｓ（／ｓ）」、「Ｔ（／ｔ）」、「Ｖ（／ｖ）」、「Ｗ（／ｗ）」、「Ｘ（／ｘ）」、「Ｙ（／ｙ）」、「Ｚ（／ｚ）」）と、５つの母音アルファベット（即ち、「Ａ（／ａ）」、「Ｅ（／ｅ）」、「Ｉ（／ｉ）」、「Ｏ（／ｏ）」、「Ｕ（／ｕ）」）で構成される。
【００８２】
図１６は、英語の大文字に対応する記号イメージを英文字のイメージフレームに生成する原理を説明しており、図１７は、英語の小文字に対応する記号イメージを英文字のイメージフレームに生成する原理を説明している。図１６及び図１７での（ａ）〜（ｚ）は、英語の大文字及び小文字「Ａ（／ａ）」から「Ｚ（／ｚ）」に対応するそれぞれの記号イメージを示す。
【００８３】
このように英語の大文字及び小文字のアルファベットに対しても同じ方式で記号イメージを生成できるが、英語のアルファベットに対する記号イメージも所定の区画された空間（例えば、四角形のイメージフレーム）において、空間の一部分に少なくとも１つの象徴物を配置して表現可能である。但し、英語のアルファベットは、初声／中声／終声に区分されないので、区画された空間を再び区分（空間区画）する必要はない。ここで、象徴物は英語のアルファベットを一定の枠に入れ、空いた空間から把握された形状を点、線、面などで単純化でき、このとき、点は三角形、四角形、円などの多様な形状を有することができる。
【００８４】
従って、出力部１４０の表示画面上にディスプレイされる英文字又は数字の記号イメージは、少なくとも１つの英文字又は数字を表現する所定の区画された空間と、空間に配置され、英文字又は数字を象徴的に表現できる三角形、四角形、円、直線のうちの少なくとも１つの象徴物で表現される。ここで、各空間は、横方向又は縦方向に離隔して配置してもよい。そして、象徴物は三角形、四角形、円、各図形の形状を有する物、及び各図形を連想させる文字のうちの少なくとも１つであり得る。
【００８５】
数字や英語単語の入力やその記号イメージに対する解析及び出力方式は、文字の入力やその記号イメージに対する解析及び出力方式と同一であるので、詳細な説明は省略する。
【００８６】
このように空間区画においては、点、線、面などの使用が何れも可能である。例えば、図１８は点による空間分離を、図１９は線による空間分離を、図２０及び図２１は面による空間分離を、図２２は点、線、面の混用による空間分離を示す。例えば、図２２に示すように、点と線を併行すれば、文字の終声や小さな文字の表現において利便性を図ることができる。
【００８７】
また、空間又は空間区画もまた、自由な再構成が可能であり、図２３に示すように、
0006034404.tif 000024
という文字を表現するにおいて、文字と文字が互いに独立している空間（ａ）、文字と文字が互いに隣接し、境界を共有する空間（ｂ、ｃ）、そして初声、中声、終声がそれぞれ分離されて独立して表現されている空間区画（ｃ）など多様な変形が可能である。
【００８８】
四角形のイメージフレームの空間にて空間を区分し（空間区画）、空間区画で区分された空間の一部分に少なくとも１つの象徴物を配置できるだけでなく、図２４〜図２７に示すように、イメージフレームの外郭形態及び空間区画の外郭形態を自由に再構成することができる。
【００８９】
図２４では、空間区画で区分された空間の外郭形態を風鈴、甕、韓屋（韓国の伝統的な家屋）で表現したものである。また、図２５は、空間区画において空間構成の自由な変形を例示した図であり、図２６は、空間区画の外郭形態の自由な変形を例示した図である。
【００９０】
また、図２７は、都心の建築物に適用して空間区画の外郭形態の変形と重複の応用を示す例示図である。
【００９１】
また、空間区画で区分された空間に配置される象徴物もまた、位置変化及び誇張によって認識可能であるが、例えば図２８に示すように、象徴物の位置変化と誇張（飛躍）によっても文字認識が可能である。また、定形化された図形象徴物の他にも、観念、論理によっても同じ効果を出せる。
【００９２】
即ち、図２９は象徴物が位置する座標を定義しており、このような座標の位置だけでハングルの子音と母音が定義され得る。例えば、
0006034404.tif 000025
は左側下段の頂点に象徴物が位置するものと定義され得る。また、
0006034404.tif 000026
は右側上段及び下段の頂点に象徴物が位置するものと定義され得る。
【００９３】
このように座標の位置のみでハングルの子音と母音全体を定義することができ、英文字及び数字に対しても定義できる。このような象徴物の位置座標の概念により、図３０に示すように、初声、中声、終声に位置する象徴物が何れも同一になっても文字認識が可能である。
【００９４】
このように座標により象徴物自体を替えることができ、四角形、円、三角形などの図形象徴物を他のシンボルに代えて文字として表現する方法も可能である。
【００９５】
一方、図３１は、本発明の実施形態によって、記号、図形状の物、及び文字を象徴物としてそれぞれ用いたことを示す図であり、左側図面はハングルの初声、中声、終声を記号に変換した例であり、中間図面はその記号を連想させる図形状の物に変換した例であり、右側図面はこのような物を連想させる文字に変換した例である。
【００９６】
即ち、ピザボックスは四角形、ピザは円、１カットのピザは扇形を連想させるので、図３１の右側図面に示すように、これを文字で表現しても論理的な類推によりハングルの認識が可能になる。
【００９７】
点、線、面の概念を適用する場合、応用できる文字表現方法が更に多様化し、道路、街路樹、湖、川、ダム、橋、建物など自然地形地物と人工構造物を用いた文字表現が可能である。また、木の種類、水田と畑の区分などによる質感（厳密には、視覚）の差、紅葉による色相の変化、太陽の位置変化による光と影を利用しても文字表現が可能になる。
【００９８】
また、空間区画と象徴物の配置は、単純な質感（厳密には、視覚）や色感の差によっても表現が可能である。即ち、空間の区画は実線ではない質感（厳密には、視覚）の差においても認知され得る。例えば、初声の空間にアスファルトを、中声の空間に黄土を、終声の空間に砂を満たす場合、３つの空間は満たされた物質の色相や質感（厳密には、視覚）により空間が分離され認識されるように空間区画と象徴物の配置をこのような物質により表現できる。図３２は、建物の外観にステンドグラスを利用してハングルを表現した例を示す図である。
【００９９】
また、空間区画と象徴物の配置は、道路、水田と畑、湖、川、山林などのような地形地物によっても表現することができ、従って都市計画において地形地物を活用した文字の表現が可能である。図３３は、道路と建築物を利用したハングルの
0006034404.tif 000027
という文字を表現したものであり、図３４は、道路と川、木、草木、公園など地形地物を利用してハングルの
0006034404.tif 000028
という文字を空間区画と象徴物の配置により表現した例を示す図である。
【０１００】
一方、互いに異なる空間区画と象徴物の配置をオーバーラップされるように表現できる。即ち、図３５に示すように、２つの記号イメージ（レイヤ１、２）をオーバーラップさせて複雑な象徴物の配置と空間区画を達成できる。
【０１０１】
文字をオーバーラップする前に、まず文字を重ねた後に識別しやすくできるように文字毎の象徴物を異なるように表示する必要があるが、このとき、象徴物の形態を異なるようにしたり、文字、符号などを用いて区別でき、最も簡単な方法は色で区分することである。
【０１０２】
図３５の（ａ）の最初のイメージのように、
0006034404.tif 000029
という文字を黒色にし、（ａ）の２番目のイメージのように、
0006034404.tif 000030
という文字を灰色に区分した後、２つの記号イメージをオーバーラップして（ａ）の３番目のイメージのように表現する。
【０１０３】
このとき、
0006034404.tif 000031
の終声が同じ
0006034404.tif 000032
であるので、図形の形態と大きさが同一である場合、第１記号イメージ（レイヤ１）の図形に第２記号イメージ（レイヤ２）の図形（終声イメージ）が遮られるようになるが、この際は第１記号イメージ（レイヤ１）の図形（終声イメージ）の大きさを縮小するか（ｂ）、第２記号イメージ（レイヤ２）の大きさを拡大して（ｃ）、２つの記号イメージの図形の大きさを異なるようにすることで、オーバーラップされた状態を明確に区分させる。また、第２記号イメージの図形が第１記号イメージの図形に遮られ、これを容易に類推可能であれば、第２記号イメージの図形表示を省略することもできる（ｄ）。
【０１０４】
オーバーラップされた２つの記号イメージ（レイヤ１、２）は、区分できるように固有の特性を付与し、このような特性により各レイヤを分離して独立した１つの文字として区分することが可能である。
【０１０５】
一実施形態において、レイヤに付与される特性としては、色相、質感（厳密には、視覚）、明度、彩度、形状、明暗、パターンの他にも、２次元と３次元による空間分離など多様な方法が考慮され得る。例えば、図９に示すように、オーバーラップされたレイヤの上部にそれぞれのレイヤの特性と同じ特性を有する表示（識別子）をしてオーバーラップされたレイヤの順序を表示する。
【０１０６】
識別子はレイヤの数と同数が表示され、識別子の順序は文字を読む方法によって垂直に表示された場合には、「上」から「下」に、水平に表示された場合には「左」から「右」に定める。従って、最上側及び左側に位置する識別子が最初のレイヤを表示する。
【０１０７】
一例として、先に生成された第１記号イメージ（レイヤ１）の色相、明暗、明度、パターン、及び質感のうちの少なくとも１つと同じ識別子（黒色の識別子）を図９の最初のイメージと同様、前に表示し、後から生成された第２記号イメージ（レイヤ２）の色相、明暗、明度、パターン、及び質感のうちの少なくとも１つと同じ識別子（灰色の識別子）を図９の最初のイメージと同様、後に表示する。
【０１０８】
図９の最初のイメージのように、オーバーラップされた２つの記号イメージ（レイヤ１、２）において、識別子の順序によって図９の２番目のイメージと同様、
0006034404.tif 000033
を先に読み取り、図９の３番目のイメージと同様、
0006034404.tif 000034
を後で読み取ることで、オーバーラップされた最初のイメージを
0006034404.tif 000035
として読み取りできるようになる。
【０１０９】
以上では、本発明の好適な実施形態及び応用例について図示し説明したが、本発明は前述した特定の実施形態及び応用例に限定されず、請求範囲で請求する本発明の要旨から逸脱することなく、当該発明の属する技術分野において通常の知識を有する者によって多様な変形実施が可能であることは無論であり、このような変形実施は、本発明の技術的思想や展望から個別的に理解されてはならない。
【０１１０】
また、本発明で用いた用語は、単に特定の実施形態を説明するために用いられたものであって、本発明を限定しようとする意図ではない。単数の表現は文脈上、明白に異ならない限り、複数の表現を含む。本明細書において、「含む」又は「有する」などの用語は、明細書上に記載された特徴、数字、段階、動作、構成要素、部品又はこれらを組み合わせたものが存在することを指定しようとするものであって、１つ又はそれ以上の他の特徴や数字、段階、動作、構成要素、部品又はこれらを組み合わせたものの存在又は付加可能性を予め排除しないものとして理解されるべきである。
【産業上の利用可能性】
【０１１１】
本発明は、各種製品に対するグラフィックデザイン産業分野における産業上の利用可能性が認められる。
【図１】
0006034404.tif 000036
【図２】
0006034404.tif 000037
【図３】
0006034404.tif 000038
【図４】
0006034404.tif 000039
【図５】
0006034404.tif 000040
【図６】
0006034404.tif 000041
【図７】
0006034404.tif 000042
【図８】
0006034404.tif 000043
【図９】
0006034404.tif 000044
【図１０】
0006034404.tif 000045
【図１１】
0006034404.tif 000046
【図１２】
0006034404.tif 000047
【図１３】
0006034404.tif 000048
【図１４】
0006034404.tif 000049
【図１５】
0006034404.tif 000050
【図１６】
0006034404.tif 000051
【図１７】
0006034404.tif 000052
【図１８】
0006034404.tif 000053
【図１９】
0006034404.tif 000054
【図２０】
0006034404.tif 000055
【図２１】
0006034404.tif 000056
【図２２】
0006034404.tif 000057
【図２３】
0006034404.tif 000058
【図２４】
0006034404.tif 000059
【図２５】
0006034404.tif 000060
【図２６】
0006034404.tif 000061
【図２７】
0006034404.tif 000062
【図２８】
0006034404.tif 000063
【図２９】
0006034404.tif 000064
【図３０】
0006034404.tif 000065
【図３１】
0006034404.tif 000066
【図３２】
0006034404.tif 000067
【図３３】
0006034404.tif 000068
【図３４】
0006034404.tif 000069
【図３５】
0006034404.tif 000070